(57)【要約】      （修正有）【課題】低電流で同一更にはより良いリレー動作効果を達成することができるマルチコイルリレーを提供する。【解決手段】本マルチコイルリレーは、底台１と、リードと、少なくとも１つのコイル組３とを含み、バネ片２は、底台に軸回転可能に設けられ、且つ該バネ片は、少なくとも１つの可動接点を設け、該底台は、可動接点２１に相対する少なくとも１つの固定接点１１を有し、該可動接点は、バネ片により固定接点に対応して軸回転動作を行ない、スイッチの切り換えを実行し、接続する回路を制御し、オンオフ、切り換えの作業を行い、該バネ片のコイル組に対応する一面は、磁極２２をリベット接合し、該コイル組は、底台に設置され、通電により電磁反応を発生し、磁極に対して磁性吸引作用を発生し、バネ片が底台に相対し軸回転し、可動接点を連動し、固定接点を切り換え、且つ該コイル組は、複数の磁性吸引端を含む。【選択図】図１
0003163693.tif 000002
【実用新案登録請求の範囲】
【請求項１】
底台と、バネ片と、少なくとも１つのコイル組と、を含み、
該バネ片は、底台に軸回転可能に設けられ、且つ該バネ片は、少なくとも１つの可動接点を設け、該底台は、可動接点に相対する少なくとも１つの固定接点を有し、該可動接点は、バネ片により固定接点に対応して軸回転動作を行ない、スイッチの切り換えを実行し、接続する回路を制御し、オンオフ、切り換えの作業を行い、該バネ片のコイル組に対応する一面は、磁極をリベット接合し、該コイル組は、底台に設置され、通電により電磁反応を発生し、磁極に対して磁性吸引作用を発生し、バネ片が底台に相対し軸回転し、可動接点を連動し、固定接点を切り換え、且つ該コイル組は、複数の磁性吸引端を含むマルチコイルリレー。
【請求項２】
前記コイル組は、少なくとも１つの鉄心と、少なくとも２つのホイールと、少なくとも２つのコイルと、該少なくとも２つのホイールは、それぞれ鉄心端箇所に挿入設置され、該コイルは、それぞれホイールに巻回し、前記複数の磁性吸引端を形成する請求項１に記載のマルチコイルリレー。
【請求項３】
前記ホイールは、円形管体である請求項２に記載のマルチコイルリレー。
【請求項４】
前記ホイールは、方形管体である請求項２に記載のマルチコイルリレー。
【考案の詳細な説明】
【技術分野】
【０００１】
本考案は、マルチコイルリレーに関し、特に、複数のコイルの電磁構造を有し、コイルの消耗効率を低減し、電磁効率を向上する効果を達成するマルチコイルリレーに関する。
【背景技術】
【０００２】
リレーは、電子制御部材であり、制御システム（又は入力回路と呼ぶ）及び被制御システム（又は出力回路と呼ぶ）を有し、リレーは、通常、自動制御器中に応用され、その特性は、比較的小さい電流に用い、比較的大きな電流を制御する「自動スイッチ」であるので、回路中、リレーは、通常皆自動調節、安全保護、変換回路等に応用される。
【０００３】
構造及び動作特性に基づいて言えば、リレーは、一般に入力センサ機構及び出力実行機構の２部で構成され、入力センサ機構は、センサ入力量の変化に反応することに用い、出力実行機構は、接点を有するリレーについて言えば、接点の分合によりリレー動作を行なう方式であり、接点のないリレーについて言えば、半導体部材の導通、切断によりリレー動作を行なう方式であり、リレーは、跳躍的入力-出力特性を有し、リレーが１つの入力信号を受信する時、該入力信号がリレーの設定する作動値より小さい時、リレーは動作せず、入力信号が設定する作動値に達する時、リレーが動作し、リレーの出力実行機構の回路接点に接続し、即座に０から要求に適合する信号電位に変わり、且つリレーの動作後、入力信号が高点から下向きの減衰を持続すれば、出力実行機構は、その動作特性が線形方式で０点に戻ることはなく、入力信号は、作動値より小さくなるまで減衰した瞬間に、リレーは、即座に出力実行機構を０に変化させる。
【０００４】
リレーは、構造特徴により電磁式リレー、サーマルリレー、固体リレー等に分けることができ、そのうち電磁式リレーは、一般に鉄心、コイル、磁極及びバネ片等の構造から構成され、コイルの両端に一定電圧を加え、コイル中に流れる電流に電磁反応を発生させ、磁極は、戻るバネの引っ張り力を克服し、鉄心に向かい、回路導通、切り換えの実行動作とすることができる。
【０００５】
しかしながら、従来の電磁式リレーが採用する磁性コイルは、何れも単一コイル方式を採用しているので、入力端の電圧を変化させない状況で、コイルが発生する同一電流に磁極を吸い動かすことができるより大きな磁力を発生させなければならず、その一般の方法は、エナメル線の径を大きくした状況で、コイルの巻数又はコイル全体の巻回する長さを増加するというものであるが、この種の方式は、単一コイル全体の幅又は長さが大きくなり過ぎ、小型リレーの設置に不利である。
【０００６】
従来の単一コイルを採用設置した電磁式リレーがコイル全体の幅又は長さが過大となり易い欠点に鑑み、本考案は、マルチコイルリレーを開発し、マルチコイルリレーの設置によりリレーの磁性強度を増加し、単一コイル磁性式リレーがコイル全体の幅又は長さが過大になり易い欠点を克服する。
【先行技術文献】
【特許文献】
【０００７】
【特許文献１】特開２００３−２７２５００号公報
【考案の概要】
【考案が解決しようとする課題】
【０００８】
本考案の目的は、複数のコイルを有するリレーであり、マルチコイル設置によりリレーの磁性強度を増加し、単一コイル磁性式リレーがコイル全体の幅又は長さが過大になり易い欠点を克服し、低電流で同一更にはより良いリレー動作効果を達成することができるマルチコイルリレーを提供することである。
【課題を解決するための手段】
【０００９】
上記の考案目的を達成する為、本考案のマルチコイルリレーは、底台と、バネ片と、少なくとも１つのコイル組と、を含み、該バネ片は、底台に軸回転可能に設けられ、且つ該バネ片は、少なくとも１つの可動接点を設け、該底台は、可動接点に相対する少なくとも１つの固定接点を有し、該可動接点は、バネ片により固定接点に対応して軸回転動作を行ない、スイッチの切り換えを実行し、接続する回路を制御し、オンオフ、切り換えの作業を行い、該バネ片のコイル組に対応する一面は、磁極をリベット接合し、該コイル組は、底台に設置され、通電により電磁反応を発生し、磁極に対して磁性吸引作用を発生し、バネ片が底台に相対し軸回転し、可動接点を連動し、固定接点を切り換え、且つ該コイル組は、複数の磁性吸引端を含む。
前記コイル組は、少なくとも１つの鉄心と、２つ以上のホイールと、２つ以上のコイルと、を含み、下記の２つコイル組を例とし、該鉄心は、馬蹄型鉄であり、該ホイールは、それぞれ鉄心の両端に挿入設置され、該コイルは、それぞれホイールと巻回し、前記の複数の磁性吸引端を形成し、また該ホイールは、円形、方形管体等の形態の外観であることができる。
【００１０】
本考案は下記の特徴を有する。
（１）底台と、バネ片と、少なくとも１つのコイル組と、を含み、
該バネ片は、底台に軸回転可能に設けられ、且つ該バネ片は、少なくとも１つの可動接点を設け、該底台は、可動接点に相対する少なくとも１つの固定接点を有し、該可動接点は、バネ片により固定接点に対応して軸回転動作を行ない、スイッチの切り換えを実行し、接続する回路を制御し、オンオフ、切り換えの作業を行い、該バネ片のコイル組に対応する一面は、磁極をリベット接合し、該コイル組は、底台に設置され、通電により電磁反応を発生し、磁極に対して磁性吸引作用を発生し、バネ片が底台に相対し軸回転し、可動接点を連動し、固定接点を切り換え、且つ該コイル組は、複数の磁性吸引端を含むマルチコイルリレー。
（２）前記コイル組は、少なくとも１つの鉄心と、少なくとも２つのホイールと、少なくとも２つのコイルと、該少なくとも２つのホイールは、それぞれ鉄心端箇所に挿入設置され、該コイルは、それぞれホイールに巻回し、前記複数の磁性吸引端を形成する（１）に記載のマルチコイルリレー。
（３）前記ホイールは、円形管体である（２）に記載のマルチコイルリレー。
（４）前記ホイールは、方形管体である（２）に記載のマルチコイルリレー。
【考案の効果】
【００１１】
前記考案内容から分かるように、本考案のマルチコイルリレーは、従来の単一コイル磁性式リレーに相対して、同時に磁性吸引動作を行なうことができる複数の磁性吸引端を有するコイル組を有するので、単一コイル磁性式リレーに比べて、コイル全体の幅又は長さを増加する必要がなく、コイルの消耗効率を低減し、電磁効率を向上する効果を達成することができる。
【図面の簡単な説明】
【００１２】
【図１】本考案のクラッパ形マルチコイルリレーの立体分解説明図である。
【図２】本考案のクラッパ形マルチコイルリレーの外観立体説明図である。
【図３】本考案のクラッパ形マルチコイルリレーのコイル組が磁極に対して磁性吸引を行なう動作説明図である。
【図４】本考案のクラッパ形マルチコイルリレーのコイル組が磁極に対して磁性吸引を行なう動作説明図である。
【図５】本考案のマルチコイルリレーの吸引筒式を呈する実施例である。
【図６】本考案のマルチコイルリレーの吸引筒式を呈する実施例である。
【図７】本考案のマルチコイルリレーの吸引筒式を呈する実施例である。
【考案を実施するための形態】
【００１３】
本考案は、マルチコイルリレーに関し、複数のコイルを有するリレーであり、マルチコイル設置により、リレーの磁性強度を増加し、単一コイル磁性式リレーがコイル全体の幅又は長さが過大になり易い欠点を克服し、低電流で同一更にはより良いリレー動作効果を達成し、図１、図２に示すように、本考案のマルチコイルリレーは、クラッパ形で呈される実施例であり、それは、底台１と、バネ片２と、少なくとも１つのコイル組３と、を含む。
【００１４】
該バネ片２は、底台１に軸回転可能に設けられ、且つ該バネ片２は、少なくとも１つの可動接点２１を設け、該底台１は、可動接点２１に相対する少なくとも１つの固定接点１１を有し、該可動接点２１は、バネ片２により固定接点２１に対応して軸回転動作を行ない、スイッチの切り換えを実行し、接続する回路を制御し、オンオフ、切り換えの作業を行い、該バネ片２のコイル組３に対応する一面は、磁極２２をリベット接合し、該コイル組３は、底台１に設置され、通電により電磁反応を発生し、磁極２２に対して磁性吸引作用を発生し、バネ片２が底台１に相対し軸回転し、可動接点２１を連動し、固定接点１１を切り換え、且つ該コイル組３は、複数の磁性吸引端を含む。
【００１５】
該コイル組３は、少なくとも１つの鉄心３１と、２つ以上のホイール３２と、２つ以上のコイル３３と、を含み、下記の２つコイル組を例とし、該鉄心３１は、馬蹄型鉄であり、該２つのホイール３２は、それぞれ鉄心３１の両端に挿入設置され、該２つのコイル３３は、それぞれホイール３２と巻回し、前記の複数の磁性吸引端を形成し、また該ホイール３２は、円形、方形管体等の形態の外観であることができる。
【００１６】
図３及び図４は、本考案のマルチコイルリレーのコイル組３が、磁極２２に対して磁性吸引動作を行ない、バネ片２が可動接点２１及び固定接点１１を連動し、切り換えを行なう動作説明である。
【００１７】
図５〜図７は、本考案のマルチコイルリレーの吸引筒式を呈する実施例であり、同様に底台４と、バネ片５と、コイル組６等の構造を含み、且つ底台４は、同様に、固定接点４１及びバネ片５を含み、同様に、可動接点５１及び磁極５２を含み、その先の実施例（クラッパ形）との差異は、バネ片５及び底台４がコイル組６を介して底台４に間接的に軸回転可能に接続し、該バネ片５がバネ５３によりコイル組６と接続し、且つ可動接点５１及び固定接点４１が元の１組を２組に変更したことにある。
【００１８】
前記考案内容から分かるように、本考案のマルチコイルリレーは、従来の単一コイル磁性式リレーに相対して、同時に磁性吸引動作を行なうことができる複数の磁性吸引端を有するコイル組を有するので、単一コイル磁性式リレーに比べて、コイル全体の幅又は長さを増加する必要がなく、コイルの消耗効率を低減し、電磁効率を向上する効果を達成することができる。
【符号の説明】
【００１９】
１  底台
１１  固定接点
２  バネ片
２１  可動接点
２２  磁極
３  コイル組
３１  鉄心
３２  ホイール
３３  コイル
４  底台
４１  固定接点
５  バネ片
５１  可動接点
５２  磁極
５３  バネ
６  コイル組
【図１】
0003163693.tif 000003
【図２】
0003163693.tif 000004
【図３】
0003163693.tif 000005
【図４】
0003163693.tif 000006
【図５】
0003163693.tif 000007
【図６】
0003163693.tif 000008
【図７】
0003163693.tif 000009